(57)【特許請求の範囲】
【請求項１】
画像データに応じてＯＮ／ＯＦＦ駆動される複数のＬＥＤ素子を配列したＬＥＤアレイを収納する空間が形成されたフレームを備えたプリントヘッドにおいて、
前記プリントヘッドは、当該プリントヘッドの温度を制御することにより、画像露光のドット位置を補正するための温度制御手段を備え、当該温度制御手段として、温度制御用ＬＥＤアレイをマウントした温度制御用の回路基板を用い、
前記画像データに応じてＯＮ／ＯＦＦ駆動される複数のＬＥＤ素子を配列したＬＥＤアレイと前記温度制御用の回路基板は、前記温度制御用の回路基板の前記温度制御用ＬＥＤアレイがマウントされた側とは反対側に配置された同一の前記フレームよりも熱伝導性が良い絶縁シート上に設けられているとともに、前記ＬＥＤアレイと前記温度制御用の回路基板とは、フレームによって覆われた同一の収納用空間の内部に収納されており、
前記収納用空間は、前記画像データに応じてＯＮ／ＯＦＦ駆動される複数のＬＥＤ素子を配列したＬＥＤアレイが設けられる空間と前記温度制御手段が設けられる空間とに前記フレーム及び仕切り板によって仕切られているとともに、当該絶縁シートは前記ＬＥＤアレイが設けられる空間および当該温度制御手段が設けられる空間とに亘って設けられ、
前記複数の温度制御用の回路基板は、前記ＬＥＤアレイのＬＥＤ素子の配列方向と平行な方向に沿って当該ＬＥＤアレイの全長にわたって配列されていることを特徴とするプリントヘッド。
【請求項２】
前記温度制御用の回路基板は、複数のＬＥＤ素子を配列した前記ＬＥＤアレイよりも長さが短く且つ輝度が低いＬＥＤアレイからなることを特徴とする請求項１に記載のプリントヘッド。
【請求項３】
請求項１又は２に記載のプリントヘッドを搭載したことを特徴とする画像形成装置。
【発明の詳細な説明】
【技術分野】
【０００１】
この発明は、電子写真方式等を採用したプリンタや複写機、ファクシミリ、あるいはこれらの機能を兼ね備えた複合機等の画像形成装置において、感光体ドラム等の像担持体上に画像露光を行うＬＥＤアレイを備えたプリントヘッド及びこれを用いた画像形成装置に関するものである。
【背景技術】
【０００２】
【特許文献１】特開２００２−３７０４００号公報
【特許文献２】特開２００３−１８２１４１号公報
【０００３】
従来、この種の電子写真方式等を採用したプリンタや複写機等の画像形成装置としては、シアン（Ｃ）、マゼンタ（Ｍ）、イエロー（Ｙ）、黒（Ｋ）色等の各色に対応した画像形成部を順次配列し、これらシアン（Ｃ）、マゼンタ（Ｍ）、イエロー（Ｙ）、黒（Ｋ）色の各画像形成部によって形成されたトナー像を、記録媒体上に直接転写したり、中間転写ベルトを介して記録媒体上に転写することによりフルカラー画像を形成する、所謂タンデム型のカラー画像形成装置が種々提案されており、実際に製品化されてきている。
【０００４】
上記画像形成装置では、各画像形成部の感光体ドラム上に画像露光を施す画像露光手段として、ＬＥＤアレイを備えたプリントヘッドや、レーザービームを画像情報に応じて照射するＲＯＳ（Ｒａｓｔｅｒ  Ｏｕｔｐｕｔ  Ｓｃａｎｎｅｒ）が用いられるが、形成する画像サイズが大きくなると、装置のレイアウト等の関係から、ＬＥＤアレイを備えたプリントヘッドが、主に用いられている。
【０００５】
ところで、かかるカラー画像形成装置においては、シアン（Ｃ）、マゼンタ（Ｍ）、イエロー（Ｙ）、黒（Ｋ）色の各画像形成部によって形成されるトナー像の位置に、互いに位置ずれが存在すると、色ずれや画像のずれが生じるため、各画像形成部による画像の形成位置を制御する必要がある。
【０００６】
そのため、上記カラー画像形成装置では、シアン（Ｃ）、マゼンタ（Ｍ）、イエロー  （Ｙ）、黒（Ｋ）色の各画像形成部におけるプリントヘッド間のドット位置を揃えて、色ずれや画像のずれのない良好な画像を形成する必要がある。
【０００７】
また、カラー画像形成装置に限らず、モノクロの画像形成装置においても、プロッタなどのように、印字精度が強く要求される装置の場合には、プリントヘッドのドット位置が一定となるように制御し、画像のずれのない良好な画像を形成する必要がある。
【０００８】
市販されている画像形成装置の中で多く生産されている機種は、その殆どがＡ４サイズやＡ３サイズに対応したものであり、生産量が多く、長さも短いため、規格品のみを使用しても、所定の印字精度の誤差の範囲内に入るが、２０インチ、２６インチ、３６インチという長尺なクラスになると、±１００μｍまでが限界であり、それ以上の精度を望む場合には、何らかの補正方法が必要となる。
【０００９】
そこで、上記カラー画像形成装置やモノクロ画像形成装置において、プリントヘッドのドット位置を制御し得る技術としては、例えば、特開２００２−３７０４００号公報や特開２００３−１８２１４１号公報等に開示された技術が既に提案されている。
【００１０】
上記特開２００２−３７０４００号公報に係る画像形成装置は、図６に示すように、  （ａ）基盤１００と、（ｂ）該基盤１００上に配列され、複数の記録素子１０１が形成された記録素子アレイ１０２と、（ｃ）前記基盤１００上に配列され、前記各記録素子１０１を選択的に駆動する駆動部１０３と、（ｄ）前記記録素子１０１の駆動に伴って発生させられる熱に対応させて、所定の箇所にあらかじめ熱を発生させる予熱手段１０４とを有するように構成したものであり、前記予熱手段１０４は、例えば、前記基盤１００に沿って配設される加熱手段が用いられる。なお、図６中、１０５は結像レンズを示している。
【００１１】
また、上記特開２００３−１８２１４１号公報に係る画像形成装置は、自己走査型ＬＥＤチップを備えた画像記録ヘッドによって像担持体上に画像データに応じて光ビームを走査して画像を形成する画像形成装置であって、前記自己走査型ＬＥＤチップへ画像データを転送するための転送信号を発生する転送信号発生手段と、前記転送信号を所定の時間前記自己走査型ＬＥＤチップへ伝送して、前記画像記録ヘッドの温度が所定の範囲となるように前記転送信号発生手段の動作時間を設定する設定手段と、を有するように構成したものである。
【発明の開示】
【発明が解決しようとする課題】
【００１２】
しかしながら、上記従来技術の場合には、次のような問題点を有している。すなわち、上記特開２００２−３７０４００号公報に係る画像形成装置の場合には、記録素子の駆動に伴って発生させられる熱に対応させて、所定の箇所にあらかじめ熱を発生させる予熱手段とを有するように構成したものであるが、予熱手段として、図６に示すように、基盤１００に沿って配設される面状ヒータ等からなる加熱手段１０４を設ける必要があり、当該加熱手段１０４は、記録素子アレイ１０２に合わせた特殊なものを製造する必要があるため、その分だけ大幅なコストアップを招くという問題点を有していた。
【００１３】
また、上記の如く予熱手段として基盤に沿って配設される加熱手段等を設けた場合には、安全対策として、サーモスタットを別途設置したりする必要があり、その意味でもコストアップを招くという問題点を有していた。
【００１４】
また、上記特開２００３−１８２１４１号公報に係る画像形成装置の場合には、画像記録ヘッドの温度が所定の範囲となるように転送信号発生手段の動作時間を設定手段によって設定するように構成したものであるため、ＬＥＤチップの未発光時の温度上昇分を加味することができず、バラツキを抑えるまでに時間がかかってしまい、プロセス速度の速い機種には対応することができないという問題点を有していた。
【００１５】
そこで、この発明は、上記従来技術の問題点を解決するためになされたものであり、その目的とするところは、大幅なコストアップを招くことなく、長尺なＬＥＤアレイや、プロセス速度の速い機種においても、精度良く画像露光を行なうことが可能なプリントヘッド及びこれを用いた画像形成装置を提供することにある。
【課題を解決するための手段】
【００１６】
すなわち、請求項１に記載された発明は、画像データに応じてＯＮ／ＯＦＦ駆動される複数のＬＥＤ素子を配列したＬＥＤアレイを収納する空間が形成されたフレームを備えたプリントヘッドにおいて、
前記プリントヘッドは、当該プリントヘッドの温度を制御することにより、画像露光のドット位置を補正するための温度制御手段を備え、当該温度制御手段として、温度制御用ＬＥＤアレイをマウントした温度制御用の回路基板を用い、
前記画像データに応じてＯＮ／ＯＦＦ駆動される複数のＬＥＤ素子を配列したＬＥＤアレイと前記温度制御用の回路基板は、前記温度制御用の回路基板の前記温度制御用ＬＥＤアレイがマウントされた側とは反対側に配置された同一の前記フレームよりも熱伝導性が良い絶縁シート上に設けられているとともに、前記ＬＥＤアレイと前記温度制御用の回路基板とは、フレームによって覆われた同一の収納用空間の内部に収納されており、
前記収納用空間は、前記画像データに応じてＯＮ／ＯＦＦ駆動される複数のＬＥＤ素子を配列したＬＥＤアレイが設けられる空間と前記温度制御手段が設けられる空間とに前記フレーム及び仕切り板によって仕切られているとともに、当該絶縁シートは前記ＬＥＤアレイが設けられる空間および当該温度制御手段が設けられる空間とに亘って設けられ、
前記複数の温度制御用の回路基板は、前記ＬＥＤアレイのＬＥＤ素子の配列方向と平行な方向に沿って当該ＬＥＤアレイの全長にわたって配列されていることを特徴とするプリントヘッドである。
【００１７】
また、請求項２に記載された発明は、前記温度制御用の回路基板は、複数のＬＥＤ素子を配列した前記ＬＥＤアレイよりも長さが短く且つ輝度が低いＬＥＤアレイからなることを特徴とする請求項１に記載のプリントヘッドである。
【００２０】
更に、請求項３に記載された発明は、請求項１又は２に記載のプリントヘッドを搭載したことを特徴とする画像形成装置である。
【発明の効果】
【００２１】
この発明によれば、大幅なコストアップを招くことなく、長尺なＬＥＤアレイや、プロセス速度の速い機種においても、精度良く画像露光を行なうことが可能なプリントヘッド及びこれを用いた画像形成装置を提供することができる。
【発明を実施するための最良の形態】
【００２２】
以下に、この発明の実施の形態について図面を参照して説明する。
【００２３】
実施の形態１
図２はこの発明の実施の形態１にプリントヘッドを適用したタンデム方式のカラー画像形成装置を示す概略構成図である。
【００２４】
このカラー画像形成装置１は、図２に示すように、大別して、記録媒体としての連帳紙２を給送する駆動ユニット３と、シアン色の画像を形成する第１プリントユニット４と、マゼンタ色の画像を形成する第２プリントユニット５と、イエロー色の画像を形成する第３プリントユニット６と、黒色の画像を形成する第４プリントユニット７と、シアン（Ｃ）、マゼンタ（Ｍ）、イエロー（Ｙ）、黒（Ｋ）の各色のトナー像が多重に転写された連帳紙２上に、トナー像を定着する定着ユニット８と、コントローラ９等を備えた制御部１０とから構成されている。
【００２５】
上記駆動ユニット３は、図示しない給紙部から給紙される連帳紙２を、一対のローラで挟持した状態で搬送する駆動ローラ１１と従動ローラ１２とを備えているとともに、連帳紙３を案内するガイドローラ１３、１４が配設されている。ここで、連帳紙とは、一連の連続した長尺な用紙であって、１ページ毎に折り目（ミシン目）で区切られた記録媒体である。
【００２６】
また、上記シアン（Ｃ）、マゼンタ（Ｍ）、イエロー（Ｙ）、黒（Ｋ）の第１〜第４のプリントユニット４〜７は、形成する画像の色が異なるのみで、他は同じように構成されており、ここでは、第１のプリントユニット４を例に説明する。
【００２７】
上記第１のプリントユニット４は、像担持体としての感光体ドラム１５を備えており、この感光体ドラム１５は、図示しない駆動手段により矢印方向に沿って、所定速度で回転駆動されるようになっている。上記カラー画像形成装置１は、連帳紙２に対してフルカラーの画像を高速に形成可能に構成されており、感光体ドラム１５の回転速度は、数１００ｍｍ／ｓｅｃと高速に設定されている。また、上記カラー画像形成装置１は、サイズの大きな連帳紙２に対してもフルカラーの画像を形成することが可能となっており、感光体ドラム１５は、２０インチ、２６インチ、３６インチといった長尺な（幅の広い）画像に対応して長尺に設定されている。
【００２８】
上記感光体ドラム１５の表面は、スコロトロンや帯電ロール等からなる一次帯電器１６によって所定の電位に一様に帯電された後、画像露光手段としてのプリントヘッド１７によって、画像データに応じて画像露光が施され、静電潜像が形成される。このプリントヘッド１７も、長尺な感光体ドラム１５に対応して、２０インチ、２６インチ、３６インチといった長尺な画像を露光可能に構成されている。また、上記感光体ドラム１５上に形成された静電潜像は、対応する色の現像装置の現像ロール１８によって現像されてトナー像となり、転写ロール１９によって記録媒体としての連帳紙２上に転写される。なお、上記感光体ドラム１５の転写部へと搬送される連帳紙２は、その前後がガイドローラ２０、２１によって案内されるように構成されている。また、トナー像の転写工程が終了した後の感光体ドラム１５の表面は、図示しないクリーニング装置によって残留トナー等が除去され、次の画像形成工程が行われる。
【００２９】
上記の如く、シアン（Ｃ）、マゼンタ（Ｍ）、イエロー（Ｙ）、黒（Ｋ）の第１〜第４のプリントユニット４〜７によって各色のトナー像が多重に転写された連帳紙２は、当該連帳紙２上に所定のタイミングで形成されるレジストマークが、レジストマーク検出手段２２によって検出され、後述するように、画像形成位置が制御されるように構成されている。
【００３０】
また、上記シアン（Ｃ）、マゼンタ（Ｍ）、イエロー（Ｙ）、黒（Ｋ）の第１〜第４のプリントユニット４〜７によって各色のトナー像が多重に転写された連帳紙２は、定着ユニット８に搬送され、当該定着ユニット８内に配置されたフラッシュ定着装置２３によって、定着処理が施された後、図示しない排紙部に排出されるようになっている。
【００３１】
上記定着ユニット８には、フラッシュ定着装置２３によってトナー像が定着された連帳紙２を、一対のローラで挟持した状態で搬送するサブ駆動ローラ２４と従動ローラ２５とを備えているとともに、連帳紙２を案内する複数のガイドローラ２６〜３０が配設されている。
【００３２】
さらに、上記制御部１０は、コントローラ９を備えているとともに、当該コントローラ９によってコマンド及びステータスをやり取りすることでメインの印字制御部３１が制御されるようになっている。また、上記メイン印字制御部３１は、シアン（Ｃ）、マゼンタ（Ｍ）、イエロー（Ｙ）、黒（Ｋ）の第１〜第４のプリントユニット４〜７に設けられたサブの印字制御部３２〜３５を制御するように構成されているとともに、当該サブ印字制御部３２〜３５には、コントローラ９から対応する色の画像データが入力されるようになっている。
【００３３】
ところで、この実施の形態では、画像データに応じてＯＮ／ＯＦＦ駆動される複数のＬＥＤ素子を直線状に配列したＬＥＤアレイを備えたプリントヘッドにおいて、前記プリントヘッドは、当該プリントヘッドの温度を制御することにより、画像露光のドット位置を補正するための温度制御手段を備え、当該温度制御手段として、前記ＬＥＤアレイと同様の機能素子をマウントした温度制御用の回路基板を用いるように構成されている。
【００３４】
また、この実施の形態では、前記温度制御用の回路基板は、複数のＬＥＤ素子を直線状に配列した廉価なＬＥＤアレイからなるように構成されている。
【００３５】
すなわち、上記プリントヘッド１７は、図１に示すように、アルミニウムやステンレス等の金属によって形成されたフレーム４０を備えており、このフレーム４０は、プリントヘッド１７のプリントサイズに応じて、２０インチ、２６インチ、３６インチといった長尺に形成されている。このフレーム４０の上部には、断面矩形状に形成されたＬＥＤアレイを収納した状態で配置するための収納用の空間４１が形成されており、この収納用空間４１は、フレーム４０の上部を図示しない分離部で上下に分離可能とすることにより、上部が開放可能となっている。
【００３６】
上記プリントヘッド１７の収納用空間４１の底部には、熱伝導率の良い絶縁シート４２が敷設されてているとともに、当該絶縁シート４２上には、ＬＥＤアレイ４３が長手方向に沿って配設されている。このＬＥＤアレイ４３は、図１及び図３に示すように、プリント配線基板４４を備えており、このプリント基板４４上には、ＬＥＤ素子としてのＬＥＤチップ４５が所定の記録密度（例えば、１２００ｄｐｉや２４００ｄｐｉ等）に応じて、２０インチ、２６インチ、３６インチといった長尺にわたって直線状に配列されている。上記ＬＥＤチップ４５の両側には、当該ＬＥＤチップ４５を画像データに応じて所定の光量でＯＮ／ＯＦＦ駆動するドライバＩＣ４６が、所定数のＬＥＤチップ４５に対応して分割された状態で配置されている。また、上記ＬＥＤチップ４５とドライバＩＣ４６とは、ボンディングワイヤ４７によって互いに接続されている。
【００３７】
そして、上記プリントヘッド１７は、ドライバＩＣ４６によってＬＥＤチップ４５を、所定の光量でＯＮ／ＯＦＦ駆動することによって、画像データに応じて所定の記録密度  （例えば、１２００ｄｐｉや２４００ｄｐｉ等）で画像露光が可能な自己走査型のＬＥＤアレイ４３を構成している。
【００３８】
また、上記プリントヘッド１７のフレーム４０の天井部４８には、図１及び図４に示すように、ＬＥＤアレイ４３の上部に対応した位置に、当該ＬＥＤアレイ４３の各ＬＥＤチップ４５から出射された光を、等倍で感光体ドラム１５上に露光するためのセルフォックレンズアレイ（商品名）等からなる結像レンズ４９が配設されている。この結像レンズ４９は、フレーム４０の天井部４８に一体的に取り付けられているが、別体として取付けも勿論良い。なお、図４中、５５はプリントヘッド１７の温度制御用のパラメータを記憶する記憶素子を示している。
【００３９】
さらに、上記プリントヘッド１７のフレーム４０の収納用空間４１内には、温度制御手段としての温度制御用のプリント配線基板５０が、ＬＥＤアレイ４３と平行に配設されている。この温度制御用のプリント配線基板５０としては、例えば、廉価版のＡ４サイズやＡ３サイズに対応した低輝度用のＬＥＤアレイが用いられ、このＬＥＤアレイ５０としては、点灯不良のＬＥＤチップが存在するために廃棄されるものを利用することができる。
【００４０】
上記温度制御用のプリント配線基板５０は、図１に示すように、仕切り板５１によって仕切られたフレーム４０の収納用空間４１の内部に設けられており、当該フレーム４０の内部に敷設された熱伝導率の良い絶縁シート４２の上部に配置されている。この温度制御用のＬＥＤアレイ５０は、プリント配線基板５１を備えており、このプリント基板５１上は、ＬＥＤチップ５２が所定の記録密度（例えば、６００ｄｐｉ等）に応じて直線状に配列されている。上記ＬＥＤチップ５２の片側には、当該ＬＥＤチップ５２をＯＮ／ＯＦＦ駆動するドライバＩＣ５３が、複数のＬＥＤチップ５２に対応して分割された状態で配置されている。また、上記ＬＥＤチップ５２とドライバＩＣ５３とは、ボンディングワイヤ５４によって互いに接続されている。
【００４１】
上記温度制御用のＬＥＤアレイ５０は、Ａ４サイズやＡ３サイズに対応した低輝度用のＬＥＤアレイであるのに対して、ＬＥＤアレイ４３は、２０インチ、２６インチ、３６インチといった長尺にわたって画像を露光することが可能なように構成されているため、当該温度制御用のＬＥＤアレイ５０は、複数のＬＥＤアレイ５０を互いに接続することによって、ＬＥＤアレイ４３の全長にわたって配設されている。その際、上記温度制御用のＬＥＤアレイ５０の間には、図３に示すように、プリント配線基板５１の間に隙間が存在しても支障はない。
【００４２】
また、この実施の形態では、上記プリントヘッド１７のフレーム４０の背面側に温度放出用のフィン５６が複数枚にわたって突設されており、当該温度放出用のフィン５６の基端部近傍には、プリントヘッド１７のフレーム４０の温度を検出する温度検出手段としてのサーミスタ５７が取付けられている。なお、このサーミスタ５７は、プリントヘッド１７の収納用空間４１の内部におけるフレーム４０の内面等に配置しても良い。
【００４３】
図５はこの実施の形態に係るプリントヘッドを適用したカラー画像形成装置の制御回路を示すブロック図である。
【００４４】
上記シアン（Ｃ）、マゼンタ（Ｍ）、イエロー（Ｙ）、黒（Ｋ）の第１〜第４のプリントユニット４〜７には、図５に示すように、各プリントヘッド１７に対応して、記憶手段５５と、温度検出手段としてのサーミスタ５７がそれぞれ配設されている。上記記憶手段５５とサーミスタ５７からの補正データは、メインの印字制御部３１に入力されているともに、当該メイン印字制御部３１からは、サブ印字制御部３２〜３５に対して、画像データや印字同期信号、あるいは補正データが送られるようになっている。また、上記サブ印字制御部３２〜３５は、第１〜第４のプリントユニット４〜７の各プリントヘッド１７に配設された温度制御用のプリント配線基板５０への通電を補正データに基づいて制御するように構成されている。
【００４５】
以上の構成において、この実施の形態１に係るプリントヘッドを適用したタンデム方式のカラー画像形成装置では、次のようにして、大幅なコストアップを招くことなく、長尺なＬＥＤアレイや、プロセス速度の速い機種においても、精度良く画像露光を行なうことが可能となっている。
【００４６】
すなわち、この発明のこの実施の形態１に係るプリントヘッドを適用したタンデム方式のカラー画像形成装置では、まず、朝一番等の電源投入時に、連帳紙２上にシアン（Ｃ）、マゼンタ（Ｍ）、イエロー（Ｙ）、黒（Ｋ）の第１〜第４のプリントユニット４〜７における画像形成位置を制御するための図示しないレジストマークを形成し、当該レジストマークを図２に示すようにレジストマーク検出手段２２によって検出するようになっている。
【００４７】
このレジストマーク検出手段２２では、第１〜第４の各プリントユニット４〜７における主走査方向（ＬＥＤアイレの配列方向）と、副走査方向（ＬＥＤアイレの配列方向と直交する方向）の画像形成位置を、数１０μｍ単位又は数μｍ単位で検出するようになっている。
【００４８】
また、上記第１〜第４のプリントユニット４〜７の各プリントヘッド１７に設けられた記憶手段５５には、当該各プリントヘッド１７の初期状態におけるドット位置データ及び温度特性が記憶されており、メインの印字制御部３１は、各プリントヘッド１７に設けられた記憶手段５５に記憶されたドット位置データ及び温度特性を読み出して、サーミスタ５７の温度検出値に基づいて、相対的な温度値を計算して、温度制御用のプリント配線基板５０による制御温度を決定する。
【００４９】
その際、上記温度制御用のプリント配線基板５０は、制御特性が予め判っており、どの程度通電すると、当該温度制御用のプリント配線基板５０の温度が何℃になるかが既知となっている。
【００５０】
そして、上記サブ印字制御部３２〜３５は、メイン印字制御部３１からの補正データに基づいて、各プリントヘッド１７に設けられた温度制御用のプリント配線基板５０への通電を制御し、当該各プリントヘッド１７が目標とする所定温度と等しい温度となるように制御するようになっている。
【００５１】
その後、上記メイン印字制御部３１は、一定枚数プリントした後や機内の温度が所定温度以上変化した場合などに、上述したものと同様の制御を行なうようになっている。
【００５２】
このように、上記実施の形態では、温度制御手段として、ＬＥＤアレイと同様の機能素子をマウントした温度制御用のプリント配線基板５０を用いたので、当該温度制御用の回路基板としては、複数のＬＥＤ素子を直線状に配列した廉価なＬＥＤアレイを用いることができ、大幅なコストアップを招くことなく、長尺なＬＥＤアレイや、プロセス速度の速い機種においても、精度良く画像露光を行なうことが可能となっている。
【００５３】
また、上記温度制御用のプリント配線基板５０は、ＬＥＤアレイ４３と同様の機能素子をマウントした回路基板を構成しているので、当該温度制御用のプリント配線基板５０の発熱特性も、ＬＥＤアレイ４３と同様であり、温度制御を極短時間に行なうことができ、この点からもプロセス速度の速い機種においても、精度良く画像露光を行なうことが可能となっている。
【図面の簡単な説明】
【００５４】
【図１】図１はこの発明の実施の形態１に係るプリントヘッドを示す断面構成図である。
【図２】図２はこの発明の実施の形態１に係るプリントヘッドを適用したカラー画像形成装置を示す概略構成図である。
【図３】図３はこの発明の実施の形態１に係るプリントヘッドを示す平面構成図である。
【図４】図４はこの発明の実施の形態１に係るプリントヘッドの露光状態を示す斜視構成図である。
【図５】図５はこの発明の実施の形態１に係るプリントヘッドを適用したカラー画像形成装置の制御回路を示すブロック図である。
【図６】図６は従来プリントヘッドを示す断面構成図である。
【符号の説明】
【００５５】
１７：プリントヘッド、４３：ＬＥＤアレイ、５０：温度制御用のプリント配線基板。
【図１】
0004802588.tif 000002
【図２】
0004802588.tif 000003
【図３】
0004802588.tif 000004
【図４】
0004802588.tif 000005
【図５】
0004802588.tif 000006
【図６】
0004802588.tif 000007